(57)【要約】【課題】無駄な電力消費を防止し省エネルギを図れると共に、棚卸し作業の効率の向上を図ることができる無線タグ通信装置及び物品管理システムを提供する。【解決手段】カメラ１４０が映像を撮影した収納領域４０を特定し、収納棚３０に収納された複数の書類ファイル５０の棚卸し状態に係わる棚卸し情報を格納したＩＤ・収納領域管理データベース３２０から、特定した収納領域４０に係わる棚卸し情報を取得し、この取得した棚卸し情報に基づき特定した収納領域４０の棚卸しが完了したかどうかを判定し、棚卸しが完了している場合には装置アンテナ１１０からの電波の送信を停止する。【選択図】図１
2010070317.tif 000002
【特許請求の範囲】
【請求項１】
複数の管理対象物品にそれぞれ設けられ、情報を記憶するＩＣ回路部と情報を送受信可能なタグアンテナとを備えた複数の無線タグ回路素子に対し、無線通信を行うための装置アンテナと、
前記複数の管理対象物品を収納可能な収納部材のうち、少なくとも１つの管理対象物品をそれぞれ収納可能とする複数の収納領域の映像を撮影可能な撮像手段と、
前記撮像手段が前記映像を撮影した前記収納領域を特定し、前記収納部材に収納された前記複数の管理対象物品の棚卸し状態に係わる棚卸し情報を格納したデータベースから、前記特定した収納領域に係わる前記棚卸し情報を取得する棚卸し情報取得手段と、
前記棚卸し情報取得手段で取得した前記棚卸し情報に基づき、前記装置アンテナからの送信出力を制御する出力制御手段と、
前記出力制御手段で制御された送信出力により、前記装置アンテナを介し、前記特定された前記収納領域における前記無線タグ回路素子のタグ識別情報の取得を行う識別情報取得手段と
を有することを特徴とする無線タグ通信装置。
【請求項２】
前記出力制御手段は、
前記特定された前記収納領域における棚卸しが未完了か完了かに応じて、前記装置アンテナからの電波の送信の開始又は停止を切り替える
ことを特徴とする請求項１記載の無線タグ通信装置。
【請求項３】
前記特定された前記収納領域における棚卸しが完了したかどうかを判定する完了判定手段を有し、
前記出力制御手段は、
前記完了判定手段での棚卸し完了の判定結果に基づき、前記装置アンテナからの電波の送信を停止する
ことを特徴とする請求項２記載の無線タグ通信装置。
【請求項４】
前記完了判定手段は、
前記特定された前記収納領域に存在する前記無線タグ回路素子より前記識別情報取得手段が所定の第１期間に新たな前記タグ識別情報の取得を行えなかった場合、前記棚卸し完了と判定する
ことを特徴とする請求項３記載の無線タグ通信装置。
【請求項５】
前記出力制御手段は、
前記完了判定手段で棚卸し完了と判定された後、前記装置アンテナからの電波の送信を停止する前に所定の第２期間前記装置アンテナからの送信出力を増大させ、
前記識別情報取得手段は、
前記出力制御手段で増大した出力により、前記装置アンテナを介し、前記特定された前記収納領域における前記無線タグ回路素子の前記タグ識別情報の取得を行い、
前記出力制御手段は、
前記出力制御手段で前記装置アンテナからの送信出力を増大させた後の経過時間が前記第２期間となった場合、前記装置アンテナからの電波の送信を停止する
ことを特徴とする請求項４記載の無線タグ通信装置。
【請求項６】
前記完了判定手段は、
前記特定された前記収納領域に対する前記識別情報取得手段によるタグ識別情報の取得開始後、予め棚卸し作業を完了するのに必要な時間として当該収納領域に対して設定された第３期間が経過した場合、前記棚卸し完了と判定する
ことを特徴とする請求項３記載の無線タグ通信装置。
【請求項７】
前記装置アンテナからの電波の送信が開始されているか停止されているかに応じて、対応する報知を行う報知手段を有する
ことを特徴とする請求項２乃至請求項６のいずれか１項記載の無線タグ通信装置。
【請求項８】
前記出力制御手段は、
前記データベースから取得した、前記特定した収納領域における領域広さ情報、若しくは、前記管理対象物品の配置密度情報に応じて、前記識別情報取得手段で前記タグ識別情報の取得を開始するときの前記装置アンテナにおける開始時送信出力を設定する
ことを特徴とする請求項１乃至請求項７のいずれか１項記載の無線タグ通信装置。
【請求項９】
情報を記憶するＩＣ回路部と情報を送受信可能なタグアンテナとをそれぞれ備えた複数の無線タグ回路素子に対し、無線通信を行う無線タグ通信装置と、
前記無線タグ通信装置からアクセス可能に設けられたデータベースと
を有する物品管理システムであって、
前記データベースは、
収納部材に備えられた複数の収納領域に収納された複数の管理対象物品の棚卸し状態に係わる棚卸し情報を格納しており、
前記無線タグ通信装置は、
前記複数の管理対象物品にそれぞれ設けられた複数の前記無線タグ回路素子に対し、無線通信を行うための装置アンテナと、
前記複数の収納領域の映像を撮影可能な撮像手段と、
前記撮像手段が前記映像を撮影した前記収納領域を特定し、前記データベースから前記特定した収納領域に係わる前記棚卸し情報を取得する棚卸し情報取得手段と、
前記棚卸し情報取得手段で取得した前記棚卸し情報に基づき、前記装置アンテナからの送信出力を制御する出力制御手段と、
前記出力制御手段で制御された送信出力により、前記装置アンテナを介し、前記特定された前記収納領域における前記無線タグ回路素子のタグ識別情報の取得を行う識別情報取得手段と
を有する
ことを特徴とする物品管理システム。
【請求項１０】
前記データベースは、
予め棚卸し作業を完了するのに必要な時間として当該収納領域に対して設定された棚卸し完了時間を記憶しており、
前記出力制御手段は、
前記特定された前記収納領域に対する前記識別情報取得手段によるタグ識別情報の取得開始後、前記第３期間が経過した場合、前記装置アンテナからの電波の送信を停止する
ことを特徴とする請求項９記載の物品管理システム。
【発明の詳細な説明】
【技術分野】
【０００１】
本発明は、管理対象物品に設けられた無線タグ回路素子に対し無線通信を行う無線タグ通信装置及びこれを備えた物品管理システムに関する。
【背景技術】
【０００２】
近年、通信対象と無線通信を行う無線通信システムの１つとして、情報を記憶するＩＣ回路部と情報を送受信可能なタグアンテナとを備えた無線タグ回路素子と、リーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが提唱されており、様々な分野において実用化されつつある。
【０００３】
このように種々の分野において活用されつつあるＲＦＩＤシステムの１つとして、例えば、販売・流通等の業種において、物品や原材料の在庫を調査し数量を確かめるために定期的に行われる棚卸しに適用した物品管理システムがある（例えば、特許文献１参照）。この物品管理システムは、棚卸し対象である物品（書類）を少なくとも１つ収納する複数の収納領域（ホルダ）を有する収納部材（保管棚）を備えており、各収納領域には収納された物品の情報を記憶した無線タグ回路素子（ＲＦＩＤタグ）がそれぞれ設けられている。棚卸しは、無線タグ通信装置（リーダライタ）で各無線タグ回路素子から物品情報を読み取り、操作者が実際に収納領域に収納されている物品を確認して物品情報と比較することにより行われる。
【特許文献１】特開２００５−３０６５０２号公報
【発明の開示】
【発明が解決しようとする課題】
【０００４】
一般に、棚卸し作業は膨大な数の対象物をチェックすることになるため、長時間の作業となることが多い。このため、作業の中断と再開を繰り返すこととなるが、作業再開時に、既に棚卸し済みである対象物に対し再度二重に棚卸しを行うことは、無線タグ通信装置において無駄な電力を消費することとなりエネルギロスを招くと共に、時間と労力の無駄となる。また、対象物が膨大であるような場合には、作業を継続しながらも、既に棚卸し済みである対象物に対し誤って再度棚卸しを行ってしまうことも考えられ、このような場合にも無駄な電力を消費することとなる。したがって、このような余分な作業を極力回避し、省エネルギを図ると共に棚卸し作業効率を向上することが好ましい。
【０００５】
しかしながら、上記従来技術の物品管理システムでは、上述したように、棚卸しを行う毎に、各収納領域の無線タグ回路素子に対し無線タグ通信装置で物品情報を読み取るようになっており、二重に棚卸しを行うことを回避するという観点については特に考慮されていなかった。
【０００６】
本発明の目的は、無駄な電力消費を防止し省エネルギを図れると共に、棚卸し作業の効率の向上を図ることができる無線タグ通信装置及び物品管理システムを提供することにある。
【課題を解決するための手段】
【０００７】
上記目的を達成するために、第１発明の無線タグ通信装置は、複数の管理対象物品にそれぞれ設けられ、情報を記憶するＩＣ回路部と情報を送受信可能なタグアンテナとを備えた複数の無線タグ回路素子に対し、無線通信を行うための装置アンテナと、前記複数の管理対象物品を収納可能な収納部材のうち、少なくとも１つの管理対象物品をそれぞれ収納可能とする複数の収納領域の映像を撮影可能な撮像手段と、前記撮像手段が前記映像を撮影した前記収納領域を特定し、前記収納部材に収納された前記複数の管理対象物品の棚卸し状態に係わる棚卸し情報を格納したデータベースから、前記特定した収納領域に係わる前記棚卸し情報を取得する棚卸し情報取得手段と、前記棚卸し情報取得手段で取得した前記棚卸し情報に基づき、前記装置アンテナからの送信出力を制御する出力制御手段と、前記出力制御手段で制御された送信出力により、前記装置アンテナを介し、前記特定された前記収納領域における前記無線タグ回路素子のタグ識別情報の取得を行う識別情報取得手段とを有することを特徴とする。
【０００８】
本願第１発明においては、収納部材に複数の収納領域が設けられ、各収納領域に管理対象物品が収納可能となっている。収納された管理対象物品の棚卸しの実行時には、識別情報取得手段が、装置アンテナを介し、収納領域に存在する無線タグ回路素子のタグ識別情報の取得を行う。タグ識別情報が取得されたことをもって、対応する管理対象物品の存在を確認することができる。
【０００９】
このとき、データベースには、各管理対象物品の棚卸し情報（既に棚卸し済みであるか、棚卸しがまだであるか等）が格納されている。上記の棚卸し実行時においては、撮像手段で管理対象物品が収納された収納領域を撮影することで、棚卸し情報取得手段が、その撮影された収納領域を特定し、データベースよりその特定した収納領域に関する棚卸し情報を取得する。その取得した棚卸し情報に応じて、出力制御手段が装置アンテナからの送信出力を制御する。
【００１０】
これにより、例えば当該収納領域が既に棚卸し済みであった場合には、装置アンテナからの電波の出力を停止する（又は絞る）等により、再度二重に無線タグ回路素子から識別情報の取得を図る無駄を防止可能となる。この結果、無駄な電力消費を防止し省エネルギを図れると共に、棚卸し作業の効率の向上を図ることができる。
【００１１】
第２発明の無線タグ通信装置は、上記第１発明において、前記出力制御手段は、前記特定された前記収納領域における棚卸しが未完了か完了かに応じて、前記装置アンテナからの電波の送信の開始又は停止を切り替えることを特徴とする。
【００１２】
これにより、対象となる収納領域がまだ棚卸し未完了であった場合には装置アンテナからの電波の送信を開始（続行）する一方、棚卸し完了の場合には、装置アンテナからの電波の出力を停止する（又は絞る）ことができる。この結果、再度二重に無線タグ回路素子から識別情報の取得を図るのを防止できる。
【００１３】
第３発明の無線タグ通信装置は、上記第２発明において、前記特定された前記収納領域における棚卸しが完了したかどうかを判定する完了判定手段を有し、前記出力制御手段は、前記完了判定手段での棚卸し完了の判定結果に基づき、前記装置アンテナからの電波の送信を停止することを特徴とする。
【００１４】
これにより、対象となる収納領域が棚卸し完了していた場合には、そのことを完了判定手段で判定し、これに応じて出力制御手段で装置アンテナからの出力を確実に停止することができる。
【００１５】
第４発明の無線タグ通信装置は、上記第３発明において、前記完了判定手段は、前記特定された前記収納領域に存在する前記無線タグ回路素子より前記識別情報取得手段が所定の第１期間に新たな前記タグ識別情報の取得を行えなかった場合、前記棚卸し完了と判定することを特徴とする。
【００１６】
無線タグ回路素子よりタグ識別情報を一度取得できれば、対応する管理対象物品の存在は確認できている（＝当該管理対象物品についての棚卸し作業は終了している）ため、その後の再度のタグ識別情報の取得の必要はない。本願第４発明においては、これに対応して、完了判定手段が、既にタグ識別情報を取得した無線タグ回路素子以外に、新たな無線タグ回路素子のタグ識別情報の取得がないかどうかを監視し、第１期間取得がなかった場合には、対応する収納領域に存在する（全無線タグ回路素子からのタグ識別情報の取得が完了したと見なし）管理対象物品の棚卸し完了と判定する。この結果、無駄な電力消費を確実に防止し、省エネルギを図ることができる。
【００１７】
第５発明の無線タグ通信装置は、上記第４発明において、前記出力制御手段は、前記完了判定手段で棚卸し完了と判定された後、前記装置アンテナからの電波の送信を停止する前に所定の第２期間前記装置アンテナからの送信出力を増大させ、前記識別情報取得手段は、前記出力制御手段で増大した出力により、前記装置アンテナを介し、前記特定された前記収納領域における前記無線タグ回路素子の前記タグ識別情報の取得を行い、前記出力制御手段は、前記出力制御手段で前記装置アンテナからの送信出力を増大させた後の経過時間が前記第２期間となった場合、前記装置アンテナからの電波の送信を停止することを特徴とする。
【００１８】
本願第５発明においては、第１期間が経過し完了判定手段で棚卸し完了と判定され、装置アンテナからの電波の出力を停止する前に、もう一度念のために最後に装置アンテナからの送信出力を増大して識別情報取得手段でのタグ識別情報の取得を図る。これにより、棚卸し漏れの発生を確実に防止しつつ、無駄な電力消費を確実に防止し、省エネルギを図ることができる。
【００１９】
第６発明の無線タグ通信装置は、上記第３発明において、前記完了判定手段は、前記特定された前記収納領域に対する前記識別情報取得手段によるタグ識別情報の取得開始後、予め棚卸し作業を完了するのに必要な時間として当該収納領域に対して設定された第３期間が経過した場合、前記棚卸し完了と判定することを特徴とする。
【００２０】
棚卸しは、全ての管理対象物が、収納部材のうちの本来の収納領域にそれぞれ存在することの確認作業である。そして、通常は、各管理対象物のほとんどの配置が乱れることなく本来の位置にあるため、前回やそれ以前の棚卸しの実績から各収納領域毎に棚卸しに要する概ねの時間が予め想定できることが多い。そこで本願第６発明においては、これに対応して、各収納領域ごとに、予め棚卸し作業の完了のために必要な時間を第３期間として設定しておき、完了判定手段が、識別情報取得手段によるタグ識別情報の取得開始後、その第３期間を経過したかどうかを監視し、第３期間が経過した場合には、対応する収納領域の棚卸しは（時間的に見て既に完了したと見なし）棚卸し完了と判定する。この結果、無駄な電力消費を確実に防止し、省エネルギを図ることができる。
【００２１】
第７発明の無線タグ通信装置は、上記第２乃至第６発明のいずれかにおいて、前記装置アンテナからの電波の送信が開始されているか停止されているかに応じて、対応する報知を行う報知手段を有することを特徴とする。
【００２２】
これにより、例えば当該収納領域が既に棚卸し済みであった場合には、装置アンテナからの電波の出力が停止されている（又は絞られている）ことを、操作者に対し視覚や聴覚によって明確に報知することができる。この結果、操作者は直ちに次の収納領域の棚卸し作業に移ることができるので、無駄な作業を省くことができ、棚卸し作業効率を向上することができる。
【００２３】
第８発明の無線タグ通信装置は、上記第１乃至第７発明のいずれかにおいて、前記出力制御手段は、前記データベースから取得した、前記特定した収納領域における領域広さ情報、若しくは、前記管理対象物品の配置密度情報に応じて、前記識別情報取得手段で前記タグ識別情報の取得を開始するときの前記装置アンテナにおける開始時送信出力を設定することを特徴とする。
【００２４】
収納領域の広さが広いほど、装置アンテナから最遠の無線タグ回路素子までの距離が大きくなるため、装置アンテナからの送信出力をより大きくするほうがよい。また、収納領域における管理対象物品の配置密度が大きいほど、隣接する物品同士の距離が近くなって無線タグ回路素子同士による通信干渉が生じやすくなるため、装置アンテナからの送信出力をより大きくするほうがよい。本願第８発明においては、これらに応じて、収納領域の領域広さ情報や管理対象物品の配置密度情報に基づき設定された装置アンテナからの送信出力を予めデータベースに格納しておき、出力制御手段がその情報に基づいてタグ識別情報の取得開始時の装置アンテナからの送信出力を決定する。この結果、収納領域の広さや管理対象物品の配置密度に関係なく、最適な送信出力により棚卸しを開始することができる。この結果、識別情報取得手段で確実にタグ識別情報を取得してから、装置アンテナからの電波の出力を停止させることができる。
【００２５】
上記目的を達成するために、第９発明の物品管理システムは、情報を記憶するＩＣ回路部と情報を送受信可能なタグアンテナとをそれぞれ備えた複数の無線タグ回路素子に対し、無線通信を行う無線タグ通信装置と、前記無線タグ通信装置からアクセス可能に設けられたデータベースとを有する物品管理システムであって、前記データベースは、収納部材に備えられた複数の収納領域に収納された複数の管理対象物品の棚卸し状態に係わる棚卸し情報を格納しており、前記無線タグ通信装置は、前記複数の管理対象物品にそれぞれ設けられた複数の前記無線タグ回路素子に対し、無線通信を行うための装置アンテナと、前記複数の収納領域の映像を撮影可能な撮像手段と、前記撮像手段が前記映像を撮影した前記収納領域を特定し、前記データベースから前記特定した収納領域に係わる前記棚卸し情報を取得する棚卸し情報取得手段と、前記棚卸し情報取得手段で取得した前記棚卸し情報に基づき、前記装置アンテナからの送信出力を制御する出力制御手段と、前記出力制御手段で制御された送信出力により、前記装置アンテナを介し、前記特定された前記収納領域における前記無線タグ回路素子のタグ識別情報の取得を行う識別情報取得手段とを有することを特徴とする。
【００２６】
本願第９発明の物品管理システムにおいては、収納部材に複数の収納領域が設けられ、各収納領域に管理対象物品が収納可能となっている。収納された管理対象物品の棚卸しの実行時には、無線タグ通信装置の識別情報取得手段が、装置アンテナを介し、収納領域に存在する無線タグ回路素子のタグ識別情報の取得を行う。そして、タグ識別情報が取得されたことをもって、対応する管理対象物品の存在を確認することができる。
【００２７】
このとき、データベースには、各管理対象物品の棚卸し情報（既に棚卸し済みであるか、棚卸しがまだであるか等）が格納されている。上記の棚卸し実行時においては、無線タグ通信装置の撮像手段が管理対象物品が収納された収納領域を撮影することで、棚卸し情報取得手段が、その撮影された収納領域を特定し、データベースよりその特定した収納領域に関する棚卸し情報を取得する。その取得した棚卸し情報に応じて、出力制御手段が装置アンテナからの送信出力を制御する。
【００２８】
これにより、例えば当該収納領域が既に棚卸し済みであった場合には、無線タグ通信装置において装置アンテナからの電波の出力を停止する（又は絞る）等により、再度二重に無線タグ回路素子から識別情報の取得を図る無駄を防止可能となる。この結果、無駄な電力消費を防止し省エネルギを図れると共に、棚卸し作業の効率の向上を図ることができる。
【００２９】
第１０発明の無線タグ通信装置は、上記第９発明において、前記データベースは、予め棚卸し作業を完了するのに必要な時間として当該収納領域に対して設定された棚卸し完了時間を記憶しており、前記出力制御手段は、前記特定された前記収納領域に対する前記識別情報取得手段によるタグ識別情報の取得開始後、前記第３期間が経過した場合、前記装置アンテナからの電波の送信を停止することを特徴とする。
【００３０】
本願第１０発明の物品管理システムにおいては、各収納領域ごとに、予め棚卸し作業の完了のために必要な時間を棚卸し完了時間として設定し、データベースに記憶しておく。そして、無線タグ通信装置の完了判定手段が、識別情報取得手段によるタグ識別情報の取得開始後、その棚卸し完了時間を経過したかどうかを監視し、棚卸し完了時間が経過した場合には、対応する収納領域の棚卸しは（時間的に見て既に完了したと見なし）棚卸し完了と判定する。この結果、無駄な電力消費を確実に防止し、省エネルギを図ることができる。
【発明の効果】
【００３１】
本発明によれば、無駄な電力消費を防止し省エネルギを図れると共に、棚卸し作業の効率の向上を図ることができる。
【発明を実施するための最良の形態】
【００３２】
以下、本発明の一実施の形態を図面を参照しつつ説明する。本実施形態は、本発明の物品管理システムを、収納棚における書類ファイルの保管状況を管理するファイル管理システムに適用したものである。
【００３３】
図１は、本実施形態のファイル管理システムの全体構成を表すシステム構成図である。
【００３４】
図１において、ファイル管理システムＴＳ（物品管理システム）は、操作者により保持されるリーダ端末１００（無線タグ通信装置）と、このリーダ端末１００と無線ＬＡＮ等の無線通信によりアンテナ２０１を介して情報の送受信が可能な基地局２０２と、この基地局２０２と通信回線ＮＷを介し接続されたサーバ３００とを有している。
【００３５】
この例では、上下方向に３段の収納領域（棚板で区画された領域）４０を備えた収納棚３０（収納部材）が多数設置されており（図中では一つのみ図示）、各収納領域４０には管理対象物品である書類ファイル５０が複数収納保管できるようになっている。
【００３６】
各書類ファイル５０の背表紙には、情報を記憶するＩＣ回路部１５０と情報を送受信可能なタグアンテナ１５１とを備えた無線タグ回路素子Ｔｏ（後述の図２等参照）を備えたラベル状の無線タグラベルＴがそれぞれ貼付されている。本実施形態のファイル管理システムＴＳは、例えば定期的に書類ファイル５０の存在及び数量を確認する棚卸し作業を行うためのものである。すなわち、各収納領域４０ごとに対応する書類ファイル５０が（正規の収納位置として）予め設定登録されている前提で、例えば各収納領域４０ごとに端から一つずつ書類ファイル５０の無線タグラベルＴを検出することで、上記書類ファイル５０の存在及び数量を確認する。
【００３７】
上記リーダ端末１００は、上記複数の書類ファイル５０にそれぞれ設けられた無線タグラベルＴの無線タグ回路素子Ｔｏに対し、無線通信を行うための装置アンテナ１１０を筐体１０１内に内蔵している。この装置アンテナ１１０は所定の指向性を有する指向性アンテナであり、筐体１０１の上方（図１中左上方向）に向かって通信領域Ａｃを形成する。また、筐体１０１の表面側（図１中紙面手前側）には各種情報の表示を行う液晶ディスプレイ等の表示部１２０と、操作者からの指示や情報を入力可能な操作部１３０と、上記装置アンテナ１１０からの電波の送信が開始されているか停止されているかに応じて対応する報知を行うＬＥＤ１２５（報知手段）を有している。このＬＥＤ１２５は、装置アンテナ１１０からの電波送信が行われている場合は点灯し、電波送信が停止している場合には消灯する。なお、上記報知手段としてはＬＥＤ以外の表示手段を用いてもよく、またスピーカ等の音声報知手段を設けてもよい。
【００３８】
またリーダ端末１００は、上記複数の書類ファイル５０を収納可能な収納棚３０のうち、複数の収納領域４０の映像を撮影可能なカメラ１４０（撮像手段）を有している。このカメラ１４０により画像を取得可能な撮像領域Ａｐは、その略中心部に上記装置アンテナ１１０の通信領域Ａｃが位置するように設定されている。これにより、リーダ端末１００は、カメラ１４０により取得される画像の略中心部に位置する収納領域４０に収納された書類ファイル５０の無線タグ回路素子Ｔｏと無線通信を行うようになっている。
【００３９】
サーバ３００は、例えばハードディスクや大容量メモリ等により構成された、上記各収納領域４０に関する画像を格納する収納領域画像管理データベース３１０と、各収納領域４０とその領域に収納された書類ファイル５０の無線タグ回路素子ＴｏのタグＩＤ（タグ識別情報）の情報とを関連付けて格納すると共に、各収納領域４０に収納された複数の書類ファイル５０の棚卸し状態に係わる棚卸し情報（本実施形態では棚卸し率。詳細後述）を格納したＩＤ・収納領域管理データベース３２０（データベース）とを有している。これらのデータベース３１０，３２０は、通信回線ＮＷ、基地局２０２、アンテナ２０１を介し、無線ＬＡＮによる通信によりリーダ端末１００の制御回路１８０（後述）と情報の送受信が可能である。
【００４０】
これにより、リーダ端末１００においてカメラ１４０で収納領域４０の撮像を行った際に、取得した画像データに基づき上記収納領域画像管理データベース３１０を検索し、画像認識（パターンマッチング）を行って撮像された画像の中心に位置する収納領域４０を特定することが可能である。また、このようにして特定された収納領域４０について、ＩＤ・収納領域管理データベース３２０を検索し、当該収納領域４０に収納された書類ファイル５０の上記棚卸し情報を通信回線ＮＷ、基地局２０２、及びアンテナ２０１を介してリーダ端末１００が取得することが可能となっている。
【００４１】
なお、上記ではデータベース３１０，３２０をリーダ端末１００とは別のサーバ３００に設ける構成としたが、これに限られず、リーダ端末１００がデータベース３１０，３２０を有する構成としてもよい。
【００４２】
図２は、上記リーダ端末１００の機能構成を表す機能ブロック図である。
【００４３】
上記書類ファイル５０の背表紙に貼付された無線タグラベルＴは、情報を記憶するＩＣ回路部１５０及びこのＩＣ回路部１５０に接続されたタグアンテナ１５１を備えた無線タグ回路素子Ｔｏをそれぞれ有している。
【００４４】
リーダ端末１００は、上記装置アンテナ１１０を介し無線タグラベルＴの無線タグ回路素子Ｔｏへ無線通信によりアクセスすると共に、その無線タグ回路素子Ｔｏから読み出された信号を処理する高周波回路１３１と、上記アンテナ２０１を介し基地局２０２と無線ＬＡＮによる通信を行うための無線ＬＡＮ通信部１３２と、上記高周波回路１３１、無線ＬＡＮ通信部１３２、表示部１２０、カメラ１４０、及び操作部１３０を含むリーダ端末１００全体の制御を行う制御回路１８０と、この制御回路１８０に接続され、情報を読み書き可能な記憶部１３４（ＲＡＭ等）とを有する。
【００４５】
図３は、制御回路１８０の機能構成を表す機能ブロック図である。
【００４６】
制御回路１８０は、ＩＤ取得領域判定部１８１と、棚卸情報取得部１８２と、電波出力判定・制御部１８３と、棚卸情報登録部１８４とを有している。ＩＤ取得領域判定部１８１は、カメラ１４０で撮像された画像データを入力し、この画像データに基づき、上記無線ＬＡＮ通信部１３２、アンテナ２０１、基地局２０２、及び通信回線ＮＷを介してサーバ３００の収納領域画像管理データベース３１０を検索し、画像認識（パターンマッチング）を行って撮像された画像の中心に位置する収納領域４０がどの収納棚３０のどの収納領域４０であるかを判定する。棚卸情報取得部１８２は、上記ＩＤ取得領域判定部１８１から判定結果（収納領域４０がどこの収納領域であるかを特定する情報）を入力し、当該特定された収納領域４０について、上記と同様に無線ＬＡＮ通信部１３２、アンテナ２０１、基地局２０２、及び通信回線ＮＷを介してサーバ３００のＩＤ・収納領域管理データベース３２０を検索し、当該収納領域４０に収納された書類ファイル５０の上記棚卸し情報を取得する。この棚卸し情報とは、各収納領域４０に収納される（本来あるべき場所として登録されている）全書類ファイル５０に対し棚卸しが完了した書類ファイル５０が占める割合を表す棚卸し率である（後述の図７参照）。
【００４７】
電波出力判定・制御部１８３は、上記棚卸情報取得部１８２で取得した棚卸し情報を入力し、当該棚卸し情報に基づき、特定された収納領域４０における棚卸しが未完了か完了かに応じて、装置アンテナ１１０からの電波の送信の開始又は停止を切り替える。具体的には、特定された収納領域４０の上記棚卸し率が所定のしきい値（例えば１００％、９０％・・・等）以上である場合には棚卸しが完了しているとみなし、高周波回路１３１に制御信号を出力して装置アンテナ１１０からの電波の出力を停止する。一方、特定された収納領域４０の上記棚卸し率が所定のしきい値より小さい場合には棚卸しが完了していないとみなし、高周波回路１３１に制御信号を出力して装置アンテナ１１０からの電波の出力を開始（あるいは継続）する。
【００４８】
棚卸情報登録部１８４は、無線タグ回路素子Ｔｏから読み取ったタグＩＤを装置アンテナ１１０及び高周波回路１３１を介して入力すると共に、上記ＩＤ取得領域判定部１８１から判定結果（収納領域４０がどこの収納領域であるかを特定する情報）を入力し、これら取得したタグＩＤ及び特定された収納領域４０の情報を、上記無線ＬＡＮ通信部１３２、アンテナ２０１、基地局２０２、及び通信回線ＮＷを介してサーバ３００のＩＤ・収納領域管理データベース３２０に送信し、関連付けて登録する。またこの取得されたタグＩＤの登録に伴い、ＩＤ・収納領域管理データベース３２０では、当該収納領域４０の棚卸し情報（棚卸し率）が更新されるようになっている。
【００４９】
図４は、上記高周波回路１３１の詳細構成を表す機能ブロック図である。
【００５０】
この図４において、高周波回路１３１は、上記装置アンテナ１１０を介し上記無線タグ回路素子ＴｏのＩＣ回路部１５０の情報へアクセスするものであり、またリーダ端末１００の制御回路１８０は無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００５１】
高周波回路１３１は、装置アンテナ１１０を介し無線タグ回路素子Ｔｏに対して信号を送信する送信部１４２と、装置アンテナ１１０により受信された無線タグ回路素子Ｔｏからの応答波を入力する受信部１４３と、送受分離器１４４とから構成される。
【００５２】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１８０の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路１８０から供給される信号に基づいて上記発生させられた搬送波を変調（この例では制御回路１８０からの「ＴＸ＿ＡＳＫ」信号に基づく振幅変調）する送信乗算回路１４６（但し振幅変調の場合は増幅率可変アンプ等を用いてもよい）と、その送信乗算回路１４６により変調された変調波を増幅（この例では制御回路１８０からの「ＴＸ＿ＰＷＲ」信号によって増幅率を決定される増幅）して所望の質問波を生成する可変送信アンプ１４７とを備えている。そして、上記発生される搬送波は、例えばＵＨＦ帯（又はマイクロ波帯、あるいは短波帯でもよい）の周波数を用いており、上記可変送信アンプ１４７の出力は、送受分離器１４４を介し装置アンテナ１１０に伝達されて無線タグ回路素子ＴｏのＩＣ回路部１５０に供給される。なお、質問波は上記のように変調した信号（変調波）に限られず、単なる搬送波のみの場合もある。
【００５３】
受信部１４３は、装置アンテナ１１０で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記装置アンテナ１１０で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１８０に入力されて処理される。
【００５４】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路１８０に入力される。これにより、リーダ端末１００では、無線タグ回路素子Ｔｏとの通信時における当該無線タグ回路素子Ｔｏからの信号の受信強度を検出することが可能となっている。
【００５５】
図５は、上記無線タグラベルＴに備えられた無線タグ回路素子Ｔｏの機能的構成の一例を表す機能ブロック図である。
【００５６】
この図５において、無線タグ回路素子Ｔｏは、上述したようにリーダ端末１００の装置アンテナ１１０と非接触で信号の送受信を行う上記タグアンテナ１５１と、このタグアンテナ１５１に接続された上記ＩＣ回路部１５０とを有している。
【００５７】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５８】
変復調部１５６は、タグアンテナ１５１により受信された上記リーダ端末１００の装置アンテナ１１０からの質問波の復調を行い、また、上記制御部１５７からの返信信号を変調し、タグアンテナ１５１より応答波（タグＩＤを含む信号）として送信する。
【００５９】
クロック抽出部１５４は受信した信号からクロック成分を抽出し、当該クロック成分の周波数に対応したクロックを制御部１５７に供給する。
【００６０】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００６１】
図６は、リーダ端末１００の制御回路１８０によって実行される制御手順を表すフローチャートである。この例では、リーダ端末１００の電源の投入後、又は操作部１３０を介して棚卸しの指示操作が入力された際に、このフローが開始される（ＳＴＡＲＴ位置）。
【００６２】
ステップ５では、制御回路１８０は、ＩＤ取得領域判定部１８１において、カメラ１４０で撮像された画像データを取得する。
【００６３】
ステップ１０では、制御回路１８０は、ＩＤ取得領域判定部１８１において、無線ＬＡＮ通信部１３２、アンテナ２０１、基地局２０２、及び通信回線ＮＷを介してサーバ３００の収納領域画像管理データベース３１０にアクセスし、上記ステップ５でカメラ１４０から取得した画像データと、収納領域画像管理データベース３１０に登録された各収納領域４０の画像データ（マッチング用パターン）とを比較し、画像認識（パターンマッチング）を行う。
【００６４】
ステップ１５では、制御回路１８０は、ＩＤ取得領域判定部１８１において、上記画像認識（パターンマッチング）により、撮像された画像の中心に位置する収納領域４０がどの収納棚３０のどの収納領域４０であるかを判定する。
【００６５】
ステップ２０では、制御回路１８０は、棚卸情報取得部１８２において、上記ステップ１５におけるＩＤ取得領域判定部１８１の判定結果（収納領域４０がどこの収納領域であるかを特定する情報）を入力し、当該特定された収納領域４０について、無線ＬＡＮ通信部１３２、アンテナ２０１、基地局２０２、及び通信回線ＮＷを介してサーバ３００のＩＤ・収納領域管理データベース３２０にアクセスし、当該収納領域４０に収納された書類ファイル５０の上記棚卸し情報を取得する。この棚卸し情報は、前述したように、各収納領域４０に収納される全書類ファイル５０に対し棚卸しが完了した書類ファイル５０が占める割合を表す棚卸し率である。
【００６６】
ステップ２５では、制御回路１８０は、電波出力判定・制御部１８３において、上記ステップ２０において棚卸情報取得部１８２で取得した棚卸し情報を入力し、当該棚卸し情報に基づき、特定された収納領域４０の棚卸しが完了しているか否かを判定する。この判定は、前述したように、特定された収納領域４０の上記棚卸し率が所定のしきい値（例えば１００％、９０％・・・等）以上である場合には棚卸しが完了しているとみなし、棚卸し率が所定のしきい値より小さい場合には棚卸しが完了していないとみなすことにより行われる。特定された収納領域４０の棚卸しが完了している場合には、判定が満たされて、ステップ３０に移る。
【００６７】
ステップ３０では、制御回路１８０は、電波出力判定・制御部１８３において、高周波回路１３１に制御信号を出力して装置アンテナ１１０からの電波の出力を停止する。
【００６８】
ステップ３５では、制御回路１８０は、ＬＥＤ１２５に制御信号を出力して消灯させる。そして、後述のステップ６０に移る。
【００６９】
一方、先のステップ２５において、特定された収納領域４０の上記棚卸し率が所定のしきい値より小さい場合には棚卸しが完了していないとみなし、判定が満たされずにステップ４０に移る。
【００７０】
ステップ４０では、制御回路１８０は、電波出力判定・制御部１８３において、高周波回路１３１に制御信号を出力して装置アンテナ１１０からの電波の出力を開始（既に電波を出力している場合には継続）する。これにより、装置アンテナ１１０の指向性に沿った前述の通信領域Ａｃが形成される。
【００７１】
ステップ４５では、制御回路１８０は、ＬＥＤ１２５に制御信号を出力して点灯（すでに点灯している場合には継続）させる。
【００７２】
ステップ５０では、制御回路１８０は、上記ステップＳ４０で開始（又は継続）された上記装置アンテナ１１０からの電波の出力により、装置アンテナ１１０を介し、通信領域Ａｃ内の収納領域４０（すなわち上記ステップ１５で特定された収納領域４０）に収納された書類ファイル５０の無線タグ回路素子ＴｏからタグＩＤを取得したか否かを判定する。取得していない場合には、判定が満たされずに後述のステップ６０に移る。一方、タグＩＤを取得した場合には、判定が満たされてステップ５５に移る。
【００７３】
ステップ５５では、制御回路１８０は、棚卸情報登録部１８４において、上記ステップ１５におけるＩＤ取得領域判定部１８１の判定結果（収納領域４０がどこの収納領域であるかを特定する情報）に基づき、無線タグ回路素子Ｔｏから装置アンテナ１１０及び高周波回路１３１を介して取得したタグＩＤを、上記無線ＬＡＮ通信部１３２、アンテナ２０１、基地局２０２、及び通信回線ＮＷを介してサーバ３００のＩＤ・収納領域管理データベース３２０に送信し、特定された収納領域４０の情報と関連付けて登録する。これにより、ＩＤ・収納領域管理データベース３２０では、取得されたタグＩＤの登録に伴い、当該収納領域４０の棚卸し情報（棚卸し率）が更新される。
【００７４】
ステップ６０では、制御回路１８０は、操作者が操作部１３０を介して棚卸し作業を終了させる指示操作を行ったか否かを判定する。終了操作が行われている場合、判定が満たされ、そのままこのフローを終了する。一方、終了操作が行われていない場合、判定が満たされず、ステップＳ５へ戻り同様の手順を繰り返す。
【００７５】
なお、上記において、ＩＤ取得領域判定部１８１において実行されるステップＳ１０及びステップＳ１５の手順と、棚卸情報取得部１８２において実行されるステップＳ２０の手順とは、特許請求の範囲各項記載の特定した収納領域に係わる棚卸し情報を取得する棚卸し情報取得手段を構成し、電波出力判定・制御部１８３において実行されるステップＳ３０及びステップＳ４０の手順は、装置アンテナからの送信出力を制御する出力制御手段を構成する。また、ステップＳ５０の手順は、特定された収納領域における無線タグ回路素子のタグ識別情報の取得を行う識別情報取得手段を構成し、電波出力判定・制御部１８３において実行されるステップＳ２５は、特定された収納領域における棚卸しが完了したかどうかを判定する完了判定手段を構成する。
【００７６】
図７は、ＩＤ・収納領域管理データベース３２０に格納されたデータ（管理テーブル）の内容の一例を表す図である。なお、図に示す例では、所定の収納棚３０が有する３つの収納領域４０（以下、第１収納領域４０、第２収納領域４０、第３収納領域４０と記載する）のそれぞれについて、説明を簡易とするために管理対象物品である書類ファイル５０が４冊ずつ同数収納される場合を示している。
【００７７】
図７において、ＩＤ・収納領域管理データベース３２０に格納された管理テーブルには、各収納領域４０ごとに、当該収納領域４０に収納される４つの書類ファイル５０の無線タグ回路素子ＴｏのタグＩＤがそれぞれ登録されている。さらに、各無線タグ回路素子ＴｏのタグＩＤごとに、棚卸し状態（リーダ端末１００でタグＩＤが取得されていないものは棚卸し未となり、タグＩＤが取得されると棚卸し済となる）、存在場所（実際にリーダ端末１００でタグＩＤが取得された際の収納領域であり、本来あるべき収納領域とは異なる場合がある）、棚卸し日、棚卸し情報（棚卸し率）が登録されている。
【００７８】
図に示す例では、２００８年８月２０日に棚卸しを行っており、その際に第１収納領域４０（収納領域１と図示）に収納されるものとして登録された４つの書類ファイル５０及び第２収納領域４０（収納領域２と図示）に収納されるものとして登録された２つの書類ファイル５０について、リーダ端末１００で対応する無線タグ回路素子ＴｏのタグＩＤが取得され、棚卸し状態が済となっている。なお、第２収納領域４０のタグＩＤ「Ｆ００００２０２」に対応する書類ファイル５０については、リーダ端末１００でタグＩＤが取得された際の収納場所が第３収納領域４０（収納領域３と図示）であったために存在場所が収納領域３として登録されているが、第２収納領域４０に収納されるものとして登録されている（言い換えれば本来収納されるべき収納領域は第２収納領域４０である）ため、第２収納領域４０に対応付けて登録されている。この結果、棚卸し率は、第１収納領域４０では４冊全ての書類ファイル５０が棚卸し済であるため１００％となっており、第２収納領域４０では４冊中２冊の書類ファイル５０が棚卸し済であるため５０％となっており、第３収納領域４０では４冊中全ての書類ファイル５０が棚卸し未であるため０％となっている。
【００７９】
このような棚卸し状態において、リーダ端末１００で各収納領域４０について棚卸しを行おうとした場合、リーダ端末１００は以下のような動作を行う。すなわち、操作者が第１収納領域４０について棚卸しを行おうとする場合、カメラ１４０で第１収納領域４０を中心として撮像を行うと、上記ＩＤ取得領域判定部１８１が画像認識（パターンマッチング）により第１収納領域であることを特定し（図６中ステップＳ５〜ステップＳ１５参照）、棚卸情報取得部１８２がＩＤ・収納領域管理データベース３２０から特定された収納領域４０の棚卸し情報を取得する（図６中ステップＳ２０参照）。ここで、収納領域４０の棚卸しの完了、未完了を判定するための前述した所定のしきい値を９０％とすると、上記のように第１収納領域４０の棚卸し率は１００％であるため、電波出力判定・制御部１８３は第１収納領域４０の棚卸しは完了していると判定する（図６中ステップＳ２５参照）。その結果、電波出力判定・制御部１８３が高周波回路１３１に制御信号を出力して装置アンテナ１１０からの電波の出力を停止し（図６中ステップＳ３０参照）、ＬＥＤ１２５が消灯する（図６中ステップＳ３５参照）。このようにして、既に棚卸し済みである第１収納領域４０については、リーダ端末１００による再度の棚卸しを行うことが防止される。
【００８０】
一方、操作者が第２収納領域４０について棚卸しを行おうとする場合、カメラ１４０で第２収納領域４０を中心として撮像を行うと、上記ＩＤ取得領域判定部１８１が画像認識（パターンマッチング）により第２収納領域であることを特定し、棚卸情報取得部１８２がＩＤ・収納領域管理データベース３２０から特定された収納領域４０の棚卸し情報を取得する。このとき、上記のように第２収納領域４０の棚卸し率は５０％であり、しきい値９０％より小さい値であるため、電波出力判定・制御部１８３は第２収納領域４０の棚卸しは完了していないと判定する（図６中ステップＳ２５参照）。その結果、電波出力判定・制御部１８３が高周波回路１３１に制御信号を出力して装置アンテナ１１０からの電波の出力を開始し（図６中ステップＳ４０参照）、ＬＥＤ１２５が点灯する（図６中ステップＳ４５参照）。このようにして、まだ棚卸し未完了である第２収納領域４０については、リーダ端末１００による棚卸しを行うことが許容される。
【００８１】
操作者が第３収納領域４０について棚卸しを行おうとする場合については、上記のように第３収納領域４０の棚卸し率は０％であることから、上記第２収納領域４０の場合と同様の動作となる。したがって、まだ棚卸しが全く行われていない第３収納領域４０については、リーダ端末１００による棚卸しを行うことが当然に許容される。
【００８２】
以上説明した実施形態においては、収納部材３０に設けられた複数の収納領域４０のうち、所定の収納領域４０に収納された書類ファイル５０の棚卸しの実行時には、リーダ端末１００において、装置アンテナ１１０を介し、当該収納領域４０に存在する書類ファイル５０の無線タグ回路素子ＴｏのタグＩＤの取得を行う。タグＩＤが取得されたことをもって、対応する書類ファイル５０の存在を確認することができる。
【００８３】
このとき、サーバ３００のＩＤ・収納領域管理データベース３２０には、各書類ファイル５０の棚卸し情報（本実施形態では棚卸し率）が格納されている。上記の棚卸し実行時においては、操作者がカメラ１４０で書類ファイル５０が収納された収納領域４０を撮影することで、制御回路１８０のＩＤ取得領域判定部１８１がその撮影された画像の中心に位置する収納領域４０を特定し、ＩＤ・収納領域管理データベース３２０よりその特定した収納領域４０に関する棚卸し情報を取得する。その取得した棚卸し情報に応じて、電波出力判定・制御部１８３が装置アンテナ１１０からの電波出力の開始・停止を制御する。
【００８４】
これにより、操作者が棚卸しを行おうとした収納領域４０が既に棚卸し済みであった場合には、装置アンテナ１１０からの電波の出力を停止することにより、再度二重に無線タグ回路素子ＴｏからタグＩＤの取得を図る無駄を防止することができる。この結果、無駄な電力消費を防止し省エネルギを図れると共に、棚卸し作業の効率の向上を図ることができる。
【００８５】
また、本実施形態では特に、棚卸し対象となる収納領域４０が棚卸し完了である場合には装置アンテナ１１０からの電波の出力を停止する一方、まだ棚卸し未完了であった場合には装置アンテナ１１０からの電波の送信を開始（続行）する。これにより、再度二重に無線タグ回路素子ＴｏからタグＩＤの取得を図るのを防止しつつ、棚卸し未完了である収納領域４０に対しては確実に棚卸しを実行することができる。
【００８６】
また、本実施形態では特に、リーダ端末１００が、装置アンテナ１１０からの電波の送信が開始されているか停止されているかに応じて対応する報知を行うＬＥＤ１２５を有する。これにより、棚卸しを行おうとする収納領域４０が既に棚卸し済みであった場合には、装置アンテナ１１０からの電波の出力が停止されていることを、操作者に対し視覚（音声報知手段を設けた場合には聴覚）によって明確に報知することができる。この結果、操作者は直ちに次の収納領域４０の棚卸し作業に移ることができるので、無駄な作業を省くことができ、棚卸し作業効率を向上することができる。
【００８７】
なお、本発明は、上記実施形態に限られるものではなく、その趣旨及び技術的思想を逸脱しない範囲内で種々の変形が可能である。以下、そのような変形例を順を追って説明する。
【００８８】
（１）タグＩＤの取得を行えなかった時間に基づき棚卸し状態を判定する場合
上記実施形態では、棚卸し情報としての棚卸し率に基づき、当該棚卸し率が所定のしきい値以上である場合には対応する収納領域４０の棚卸しが完了していると判定し、反対に棚卸し率が所定のしきい値より小さい場合には対応する収納領域４０の棚卸しが未完了であると判定するようにしたが、これに限られない。すなわち、各収納領域４０における新たなタグＩＤの取得を行えなかった時間に基づき、当該時間が所定の値よりも長い場合には対応する収納領域４０に存在する全無線タグ回路素子ＴｏからのタグＩＤの取得が完了したと見なして収納領域４０の棚卸しが完了していると判定し、反対に上記時間が所定の値よりも短い場合には収納領域４０の棚卸しが未完了と判定するようにしてもよい。
【００８９】
図８は、本変形例においてリーダ端末１００の制御回路１８０によって実行される制御手順を表すフローチャートであり、前述の図６に対応する図である。図６と同様の手順には同符号を付し説明を省略する。
【００９０】
ステップＳ５〜ステップＳ１５は前述の図６と同様であり、制御回路１８０は、ＩＤ取得領域判定部１８１においてカメラ１４０で撮像された画像データを取得し、ＩＤ取得領域判定部１８１においてサーバ３００の収納領域画像管理データベース３１０にアクセスし、画像認識（パターンマッチング）を行って、撮像された画像の中心に位置する収納領域４０がどの収納棚３０のどの収納領域４０であるかを判定する。
【００９１】
ステップ２０Ａでは、制御回路１８０は、棚卸情報取得部１８２において、無線ＬＡＮ通信部１３２、アンテナ２０１、基地局２０２、及び通信回線ＮＷを介してサーバ３００のＩＤ・収納領域管理データベース３２０にアクセスし、上記ステップ１５で特定された収納領域４０に関する棚卸し情報を取得する。本変形例では、この棚卸し情報は、特定された収納領域４０に存在する書類ファイル５０の無線タグ回路素子より新たなタグＩＤの取得を行えなかった経過時間であるＩＤ無取得経過時間ｔ１と、この経過時間ｔ１が所定のしきい値を超えた場合にリーダ端末１００の装置アンテナ１１０からの電波の出力を停止させるために、上記しきい値として予め設定されたＩＤ無取得設定時間Ｔ１（第１期間）である。上記ＩＤ無取得経過時間ｔ１のカウントは、制御回路１８０がその内部（又は外部）に有する図示しないタイマにより実行するようになっている。また、上記ＩＤ無取得設定時間Ｔ１は、各収納領域４０に対しその大きさや収納される書類ファイル５０の数（密度）等に応じてそれぞれ設定される構成でもよく、ＩＤ・収納領域管理データベース３２０に予め登録されている。このようにＩＤ無取得設定時間Ｔ１を書類ファイル５０の数（密度）等の収納領域４０に収納される書類ファイル５０の状態に応じて設定することで、棚卸しが完了しているか否かの判定を適切に行うことができる。
【００９２】
ステップＳ２２では、制御回路１８０は、無線ＬＡＮ通信部１３２、アンテナ２０１、基地局２０２、及び通信回線ＮＷを介してサーバ３００のＩＤ・収納領域管理データベース３２０にアクセスし、直前の収納領域４０として登録されている収納領域情報（後述のステップＳ２４参照）を読み出し、現在の収納領域４０（上記ステップＳ１５で特定した収納領域４０。以下同様）が直前の収納領域４０と一致するか否かを判定する。一致している場合（すなわち操作者が棚卸し対象の収納領域４０を変更していない場合）には、判定が満たされて後述するステップＳ２５Ａに移る。一方、現在の収納領域４０が直前の収納領域４０と一致していない場合（すなわち操作者が棚卸し対象の収納領域４０を変更した場合）には、判定が満たされずにステップＳ２３に移る。
【００９３】
ステップＳ２３では、制御回路１８０は、直前の収納領域４０に係わる上記ＩＤ無取得経過時間ｔ１のカウントを停止し、当該カウント値を無線ＬＡＮ通信部１３２、アンテナ２０１、基地局２０２、及び通信回線ＮＷを介してサーバ３００に送信し、ＩＤ・収納領域管理データベース３２０に登録する。
【００９４】
ステップＳ２４では、制御回路１８０は、無線ＬＡＮ通信部１３２、アンテナ２０１、基地局２０２、及び通信回線ＮＷを介してサーバ３００にアクセスし、現在の収納領域４０の収納領域情報を直前の収納領域４０としてＩＤ・収納領域管理データベース３２０に登録する。
【００９５】
ステップＳ２５Ａでは、制御回路１８０は、電波出力判定・制御部１８３において、上記ステップ２０Ａにおいて棚卸情報取得部１８２で取得した棚卸し情報（ＩＤ無取得経過時間ｔ１、ＩＤ無取得設定時間Ｔ１）を入力し、当該棚卸し情報に基づき、特定された収納領域４０の棚卸しが完了しているか否かを判定する。この判定は、上記ステップＳ２０Ａで取得した現在の収納領域４０のＩＤ無取得経過時間ｔ１（ＩＤ無取得経過時間のカウントが開始されている場合にはそのカウント分を加算した経過時間。後述のステップＳ４６，Ｓ５６参照）が、上記ステップＳ２０Ａで取得した上記ＩＤ無取得設定時間Ｔ１以上であるか否かを判定することにより行われる。ＩＤ無取得経過時間ｔ１がＩＤ無取得時間Ｔ１以上である場合には棚卸しが完了しているとみなし、判定が満たされてステップ３０に移る。
【００９６】
ステップＳ３０及びステップＳ３５は、前述の図６と同様であり、制御回路１８０は、電波出力判定・制御部１８３において、高周波回路１３１に制御信号を出力して装置アンテナ１１０からの電波の出力を停止し、ＬＥＤ１２５に制御信号を出力して消灯させる。
【００９７】
ステップＳ３６では、制御回路１８０は、現在の収納領域４０におけるＩＤ無取得経過時間ｔ１のカウントを停止し、当該カウント値を無線ＬＡＮ通信部１３２、アンテナ２０１、基地局２０２、及び通信回線ＮＷを介してサーバ３００に送信し、ＩＤ・収納領域管理データベース３２０に登録する。そして、後述のステップＳ６０に移る。
【００９８】
一方、先のステップＳ２５Ａにおいて、現在の収納領域４０のＩＤ無取得経過時間ｔ１がＩＤ無取得設定時間Ｔ１より短い場合には棚卸しが完了していないとみなし、判定が満たされずにステップ４０に移る。
【００９９】
ステップＳ４０及びステップＳ４５は、前述の図６と同様であり、制御回路１８０は、電波出力判定・制御部１８３において、高周波回路１３１に制御信号を出力して装置アンテナ１１０からの電波の出力を開始（既に電波を出力している場合には継続）し、ＬＥＤ１２５に制御信号を出力して点灯（既に点灯している場合には継続）させる。
【０１００】
ステップＳ４６では、制御回路１８０は、現在の収納領域４０におけるＩＤ無取得経過時間ｔ１のカウントを開始（既にカウントを実行している場合には継続）する。このカウントは、上記ステップＳ２０ＡでＩＤ・収納領域管理データベース３２０から取得したＩＤ無取得経過時間ｔ１に加算して行われる。なおこのカウントは、前述したように、制御回路１８０がその内部（又は外部）に有する図示しないタイマにより実行する。
【０１０１】
ステップＳ５０及びステップＳ５５は、前述の図６と同様であり、制御回路１８０は、通信領域Ａｃ内の収納領域４０に収納された書類ファイル５０の無線タグ回路素子ＴｏからタグＩＤを取得したか否かを判定し、タグＩＤを取得した場合には、棚卸情報登録部１８４において、無線タグ回路素子Ｔｏから取得したタグＩＤを、特定された収納領域４０の情報と関連付けてサーバ３００のＩＤ・収納領域管理データベース３２０に登録する。
【０１０２】
ステップＳ５６では、制御回路１８０は、現在の収納領域４０におけるＩＤ無取得時間のカウントを０にリセットし、再度カウントを開始する。
【０１０３】
ステップＳ６０は、前述の図６と同様であり、制御回路１８０は、操作者が操作部１３０を介して棚卸し作業を終了させる指示操作を行ったか否かを判定し、終了操作が行われている場合にはこのフローを終了する。一方、終了操作が行われていない場合には、ステップＳ５へ戻り同様の手順を繰り返す。
【０１０４】
なお、上記において、ＩＤ取得領域判定部１８１において実行されるステップＳ１０及びステップＳ１５の手順と、棚卸情報取得部１８２において実行されるステップＳ２０Ａの手順とは、特許請求の範囲各項記載の特定した収納領域に係わる棚卸し情報を取得する棚卸し情報取得手段を構成し、電波出力判定・制御部１８３において実行されるステップＳ２５Ａは、特定された収納領域における棚卸しが完了したかどうかを判定する完了判定手段を構成する。
【０１０５】
図９は、本変形例におけるＩＤ・収納領域管理データベース３２０に格納されたデータ（管理テーブル）の内容の一例を表す図である。
【０１０６】
図９に示すように、ＩＤ・収納領域管理データベース３２０に格納された管理テーブルには、各収納領域４０ごとに、上記ＩＤ無取得設定時間Ｔ１が予め設定され登録されており、この例では、第１、第２、第３収納領域４０のそれぞれのＩＤ無取得設定時間Ｔ１は、１０秒、８秒、１２秒となっている。また図に示す例では、第１、第２、第３収納領域４０のそれぞれのＩＤ無取得経過時間ｔ１が、１０秒、２秒、０秒の状態となっている。
【０１０７】
このような状態において、リーダ端末１００で各収納領域４０について棚卸しを行おうとした場合、リーダ端末１００は以下のような動作を行う。すなわち、操作者が第１収納領域４０について棚卸しを行おうとする場合、第１収納領域４０におけるＩＤ無取得経過時間ｔ１は１０秒であり、ＩＤ無取得設定時間Ｔ１以上となっていることから、電波出力判定・制御部１８３は第１収納領域４０の棚卸しは完了していると判定する（図８中ステップＳ２５Ａ参照）。その結果、電波出力判定・制御部１８３が高周波回路１３１に制御信号を出力して装置アンテナ１１０からの電波の出力を停止し（図８中ステップＳ３０参照）、既に棚卸し済みである第１収納領域４０については、リーダ端末１００による再度の棚卸しを行うことが防止される。
【０１０８】
一方、操作者が第２収納領域４０について棚卸しを行おうとする場合、第２収納領域４０におけるＩＤ無取得経過時間ｔ１は２秒であり、ＩＤ無取得設定時間Ｔ１より短い時間であることから、電波出力判定・制御部１８３は第２収納領域４０の棚卸しは完了していないと判定する（図８中ステップＳ２５Ａ参照）。その結果、電波出力判定・制御部１８３が高周波回路１３１に制御信号を出力して装置アンテナ１１０からの電波の出力を開始し（図８中ステップＳ４０参照）、まだ棚卸し未完了である第２収納領域４０については、リーダ端末１００による棚卸しを行うことが許容される。
【０１０９】
操作者が第３収納領域４０について棚卸しを行おうとする場合も上記第２収納領域４０の場合の動作と同様となる。
【０１１０】
以上説明した変形例によれば、以下の効果を奏する。すなわち、一般に棚卸し時において無線タグ回路素子ＴｏよりタグＩＤを一度取得できれば、対応する書類ファイル５０の存在は確認できている（＝当該書類ファイル５０についての棚卸し作業は終了している）ため、その後の再度のタグＩＤの取得の必要はない。本変形例においては、これに対応して、リーダ端末１００において、既にタグＩＤを取得した無線タグ回路素子Ｔｏ以外に、新たな無線タグ回路素子ＴｏのタグＩＤの取得がないかどうかを監視し、予め設定されたＩＤ無取得設定時間Ｔ１の間取得がなかった場合には、対応する収納領域４０に存在する（全無線タグ回路素子ＴｏからのタグＩＤの取得が完了したと見なし）書類ファイル５０の棚卸し完了と判定する。この結果、無駄な電力消費を確実に防止し、省エネルギを図ることができる。
【０１１１】
（２）電波出力を停止する前に送信出力を増大させる場合
上記変形例（１）において、各収納領域４０における新たなタグＩＤの取得を行えなかった時間が所定の値よりも長く、対応する収納領域４０の棚卸しが完了していると判定した場合に、電波出力を停止する前に、もう一度念のために最後に装置アンテナ１１０からの送信出力を増大してタグＩＤの取得を図るようにしてもよい。
【０１１２】
図１０は、本変形例においてリーダ端末１００の制御回路１８０によって実行される制御手順を表すフローチャートであり、前述の図８に対応する図である。図８と同様の手順には同符号を付し説明を省略する。
【０１１３】
ステップＳ５〜ステップＳ１５は前述の図８と同様である。次のステップ２０Ｂでは、制御回路１８０は、棚卸情報取得部１８２においてサーバ３００のＩＤ・収納領域管理データベース３２０にアクセスし、上記ステップ１５で特定された収納領域４０に係わる棚卸し情報を取得する。本変形例では、この棚卸し情報は、前述した変形例（１）と同様のＩＤ無取得経過時間ｔ１及びＩＤ無取得設定時間Ｔ１と、棚卸しが完了し（すなわち現在の収納領域４０においてカウントされているＩＤ無取得経過時間ｔ１がＩＤ無取得設定時間Ｔ１以上となり）、装置アンテナ１１０からの送信出力を最大出力に増大させた後の経過時間である出力ＭＡＸ化後経過時間ｔ２、及びこの経過時間ｔ２が所定のしきい値を超えた場合に装置アンテナ１１０からの電波の送信を停止させるために、上記しきい値として予め設定された出力ＭＡＸ化後設定時間Ｔ２（第２期間）である。上記出力ＭＡＸ化後経過時間ｔ２のカウントは、制御回路１８０がその内部（又は外部）に有する図示しないタイマにより実行するようになっている。また、上記出力ＭＡＸ化後設定時間Ｔ２は、各収納領域４０に対しその大きさや収納される書類ファイル５０の数（密度）等に応じてそれぞれ設定されており、ＩＤ・収納領域管理データベース３２０に予め登録されている。
【０１１４】
ステップＳ２２〜ステップＳ２４は前述の図８と同様であり、制御回路１８０は、現在の収納領域４０が直前の収納領域４０と一致するか否かを判定し、一致する場合には後述のステップＳ２５Ｂに移る。一致していない場合には、直前の収納領域４０に係わるＩＤ無取得経過時間ｔ１のカウントを停止し、当該カウント値をサーバ３００のＩＤ・収納領域管理データベース３２０に登録すると共に、現在の収納領域４０の収納領域情報を直前の収納領域４０として登録する。
【０１１５】
ステップＳ２５Ｂでは、制御回路１８０は、無線ＬＡＮ通信部１３２、アンテナ２０１、基地局２０２、及び通信回線ＮＷを介してサーバ３００のＩＤ・収納領域管理データベース３２０にアクセスし、現在の収納領域４０に係わる出力ＭＡＸ化設定情報を読み出して、当該出力ＭＡＸ化設定がＯＮであるか否かを判定する。この出力ＭＡＸ化設定は、初期値はＯＦＦに設定されており、現在の収納領域４０においてカウントされているＩＤ無取得経過時間ｔ１が上記ＩＤ無取得設定時間Ｔ１以上となるとＯＮに変更されるものであり、各収納領域４０の棚卸し情報としてサーバ３００のＩＤ・収納領域管理データベース３２０に登録されるようになっている（後述の図１１中ステップＳ２０５，Ｓ２１０参照）。現在の収納領域４０の出力ＭＡＸ化設定がＯＮでない場合には、判定が満たされずにステップＳ２００に移り、後述のＩＤ無取得時間判定処理（図１１参照）を実行した上で、先のステップＳ５に戻る。一方、現在の収納領域４０の出力ＭＡＸ化設定がＯＮである場合には、判定が満たされてステップＳ２７に移る。
【０１１６】
ステップＳ２７では、制御回路１８０は、上記ステップＳ２０Ｂで取得した現在の収納領域４０に係わる出力ＭＡＸ化後経過時間ｔ２（出力ＭＡＸ化後経過時間のカウントが開始されている場合にはそのカウント分を加算した経過時間。後述のステップＳ２２５参照）が、上記ステップＳ２０Ｂで取得した出力ＭＡＸ化後設定時間Ｔ２以上であるか否かを判定する。現在の収納領域４０における出力ＭＡＸ化後経過時間ｔ２が上記出力ＭＡＸ化後設定時間Ｔ２以上である場合には、判定が満たされてステップＳ３０に移る。
【０１１７】
ステップＳ３０及びステップＳ３５は前述の図８と同様であり、制御回路１８０は、電波出力判定・制御部１８３において、高周波回路１３１に制御信号を出力して装置アンテナ１１０からの電波の出力を停止し、ＬＥＤ１２５に制御信号を出力して消灯させる。
【０１１８】
ステップＳ３６Ｂでは、制御回路１８０は、現在の収納領域４０における出力ＭＡＸ化後経過時間ｔ２のカウントを停止し、当該カウント値をサーバ３００のＩＤ・収納領域管理データベース３２０に登録する。そして、後述のステップＳ６０に移る。
【０１１９】
一方、先のステップＳ２７において、現在の収納領域４０における出力ＭＡＸ化後経過時間ｔ２が上記出力ＭＡＸ化後設定時間Ｔ２より短い場合には、判定が満たされずにステップＳ５０に移る。
【０１２０】
ステップＳ５０及びステップＳ５５は前述の図８と同様であり、制御回路１８０は、装置アンテナ１１０からの送信出力を最大化させて形成した通信領域Ａｃ内の収納領域４０に収納された書類ファイル５０の無線タグ回路素子ＴｏからタグＩＤを取得したか否かを判定し、タグＩＤを取得した場合には、棚卸情報登録部１８４において、無線タグ回路素子Ｔｏから取得したタグＩＤを、特定された収納領域４０の情報と関連付けてサーバ３００のＩＤ・収納領域管理データベース３２０に登録する。
【０１２１】
ステップＳ６０は、前述の図８と同様であり、制御回路１８０は、操作者が操作部１３０を介して棚卸し作業を終了させる指示操作を行ったか否かを判定し、終了操作が行われている場合にはこのフローを終了する。一方、終了操作が行われていない場合には、ステップＳ５へ戻り同様の手順を繰り返す。
【０１２２】
なお、上記において、ＩＤ取得領域判定部１８１において実行されるステップＳ１０及びステップＳ１５の手順と、棚卸情報取得部１８２において実行されるステップＳ２０Ｂの手順とは、特許請求の範囲各項記載の特定した収納領域に係わる棚卸し情報を取得する棚卸し情報取得手段を構成する。
【０１２３】
図１１は、上記ステップＳ２００のＩＤ無取得時間判定処理の詳細内容を表すフローチャートである。
【０１２４】
ステップＳ２０５では、制御回路１８０は、電波出力判定・制御部１８３において、上記ステップ２０Ｂにおいて棚卸情報取得部１８２で取得した棚卸し情報（ＩＤ無取得経過時間ｔ１、ＩＤ無取得設定時間Ｔ１）を入力し、当該棚卸し情報に基づき、特定された収納領域４０の棚卸しが完了しているか否かを判定する。この判定は、上記ステップＳ２０Ｂで取得した現在の収納領域４０のＩＤ無取得経過時間ｔ１（ＩＤ無取得経過時間のカウントが開始されている場合にはそのカウント分を加算した経過時間。後述のステップＳ２３５参照）が、上記ステップＳ２０Ｂで取得した上記ＩＤ無取得設定時間Ｔ１以上であるか否かを判定することにより行われる。現在の収納領域４０のＩＤ無取得経過時間ｔ１がＩＤ無取得設定時間Ｔ１以上である場合には棚卸しが完了しているとみなし、判定が満たされてステップ２１０に移る。
【０１２５】
ステップＳ２１０では、制御回路１８０は、現在の収納領域４０の出力ＭＡＸ化設定をＯＮとし、リーダ端末１００の装置アンテナ１１０からの電波の送信出力を最大に設定する。また、当該収納領域４０の出力ＭＡＸ化設定がＯＮである情報をサーバ３００のＩＤ・収納領域管理データベース３２０に登録する。
【０１２６】
ステップＳ２１５では、制御回路１８０は、現在の収納領域４０における出力ＭＡＸ化後経過時間ｔ２のカウントを開始する。このカウントは、上記ステップＳ２０ＢでＩＤ・収納領域管理データベース３２０から取得した出力ＭＡＸ化後経過時間ｔ２に加算して行われる。そして、後述のステップＳ２４０に移る。
【０１２７】
一方、先のステップＳ２０５において、現在の収納領域４０のＩＤ無取得経過時間ｔ１がＩＤ無取得時間Ｔ１より短い場合には棚卸しが完了していないとみなし、判定が満たされずにステップ２２０に移る。
【０１２８】
ステップＳ２２０では、制御回路１８０は、現在の収納領域４０の出力ＭＡＸ化設定を初期値であるＯＦＦのままとし、リーダ端末１００の装置アンテナ１１０からの電波の送信出力を予め設定された所定の出力値（例えば収納領域に関係なく一律に設定された初期値）に設定する。
【０１２９】
ステップＳ２２５では、制御回路１８０は、現在の収納領域４０におけるＩＤ無取得経過時間ｔ１のカウントを開始（既にカウントを実行している場合には継続）する。このカウントは、上記ステップＳ２０ＢでＩＤ・収納領域管理データベース３２０から取得した無取得経過時間ｔ１に加算して行われる。
【０１３０】
ステップＳ２３０及びステップＳ２３５は、前述の図８中ステップＳ４０及びステップＳ４５と同様であり、制御回路１８０は、電波出力判定・制御部１８３において、高周波回路１３１に制御信号を出力して、上記ステップＳ２２０又はステップＳ２３０において設定された送信出力により、装置アンテナ１１０からの電波の出力を開始（既に電波を出力している場合には継続）し、ＬＥＤ１２５に制御信号を出力して点灯（既に点灯している場合には継続）させる。
【０１３１】
ステップＳ２４０は、前述の図８中ステップＳ５０と同様であり、制御回路１８０は、通信領域Ａｃ内の収納領域４０に収納された書類ファイル５０の無線タグ回路素子ＴｏからタグＩＤを取得したか否かを判定し、タグＩＤを取得しなかった場合には、判定が満たされずに本ルーチンを終了する。一方、タグＩＤを取得した場合には、判定が満たされてステップＳ２４５に移り、棚卸情報登録部１８４において、無線タグ回路素子Ｔｏから取得したタグＩＤを、特定された収納領域４０の情報と関連付けてサーバ３００のＩＤ・収納領域管理データベース３２０に登録する。
【０１３２】
ステップＳ２５０は、前述の図８中ステップＳ５６と同様であり、制御回路１８０は、現在の収納領域４０におけるＩＤ無取得経過時間ｔ１のカウントを０にリセットし、再度カウントを開始する。そして、本ルーチンを終了する。
【０１３３】
なお、上記において、電波出力判定・制御部１８３において実行されるステップＳ２１０及びステップＳ２２０の手順は、装置アンテナからの送信出力を制御する出力制御手段を構成し、電波出力判定・制御部１８３において実行されるステップＳ２０５は、特定された収納領域における棚卸しが完了したかどうかを判定する完了判定手段を構成する。また、ステップＳ２４０は、特定された収納領域における無線タグ回路素子のタグ識別情報の取得を行う識別情報取得手段を構成する。
【０１３４】
図１２は、本変形例におけるＩＤ・収納領域管理データベース３２０に格納されたデータ（管理テーブル）の内容の一例を表す図である。
【０１３５】
図１２に示すように、ＩＤ・収納領域管理データベース３２０に格納された管理テーブルには、各収納領域４０ごとに、ＩＤ無取得設定時間Ｔ１、出力ＭＡＸ化設定（初期値はＯＦＦ）、及び出力ＭＡＸ化後設定時間Ｔ２が予め設定され登録されている。また、各収納領域４０ごとに、それぞれのＩＤ無取得経過時間ｔ１及び出力ＭＡＸ化後経過時間ｔ２が登録されている。
【０１３６】
このような状態において、リーダ端末１００で各収納領域４０について棚卸しを行おうとした場合、リーダ端末１００は以下のような動作を行う。すなわち、操作者が第１収納領域４０について棚卸しを行おうとする場合、出力ＭＡＸ化設定がＯＮであることから、図１０中ステップＳ２５Ｂの判定が満たされる。そして、第１収納領域４０における出力ＭＡＸ化後経過時間ｔ２は１０秒であり、出力ＭＡＸ化後設定時間Ｔ２以上となっていることから、図１０中ステップＳ２７の判定が満たされ、その結果、電波出力判定・制御部１８３が高周波回路１３１に制御信号を出力して装置アンテナ１１０からの電波の出力を停止し（図１０中ステップＳ３０参照）、第１収納領域４０については、リーダ端末１００による再度の棚卸しを行うことが防止される。
【０１３７】
一方、操作者が第２収納領域４０について棚卸しを行おうとする場合、出力ＭＡＸ化設定がＯＦＦであることから、図１０中ステップＳ２５Ｂの判定は満たされない。そして、第２収納領域４０におけるＩＤ無取得経過時間ｔ１は２秒であり、ＩＤ無取得設定時間Ｔ１より短い時間であることから、電波出力判定・制御部１８３は第２収納領域４０の棚卸しは完了していないと判定する（図１１中ステップＳ２０５参照）。その結果、電波出力判定・制御部１８３の制御により、送信出力を所定の値に設定した状態で装置アンテナ１１０からの電波の出力を開始する（図１１中ステップＳ２２０，Ｓ２３０参照）。このようにして、まだ棚卸し未完了である第２収納領域４０については、リーダ端末１００による棚卸しを行うことが許容される。
【０１３８】
なお、この後、ＩＤ無取得経過時間ｔ１が８秒になると、ＩＤ無取得設定時間Ｔ１以上となることから、電波出力判定・制御部１８３は第２収納領域４０の棚卸しが完了していると判定し（図１１中ステップＳ２０５参照）、電波出力判定・制御部１８３の制御により、送信出力を最大値に設定した状態で装置アンテナ１１０からの電波の出力を開始する（図１１中ステップＳ２１０，Ｓ２３０参照）。その結果、出力ＭＡＸ化設定がＯＮとなることから、図１０中ステップＳ２５Ｂの判定が満たされ、その後第２収納領域４０における出力ＭＡＸ化後経過時間ｔ２が８秒となると、出力ＭＡＸ化後設定時間Ｔ２以上となることから、図１０中ステップＳ２７の判定が満たされる。その結果、電波出力判定・制御部１８３が高周波回路１３１に制御信号を出力して装置アンテナ１１０からの電波の出力を停止する（図１０中ステップＳ３０参照）。
【０１３９】
操作者が第３収納領域４０について棚卸しを行おうとする場合も上記第２収納領域４０の場合の動作と同様となる。
【０１４０】
以上説明した変形例においては、ＩＤ無取得設定時間Ｔ１が経過し棚卸し完了と判定され、装置アンテナ１１０からの電波の出力を停止する前に、もう一度念のために最後に装置アンテナ１１０からの送信出力を増大してタグＩＤの取得を図る。これにより、棚卸し漏れの発生を確実に防止しつつ、無駄な電力消費を確実に防止し、省エネルギを図ることができる。
【０１４１】
（３）電波出力経過時間に基づき棚卸し状態を判定する場合
本変形例は、各収納領域４０におけるリーダ端末１００の電波出力経過時間に基づき、当該時間が所定の値よりも長い場合には、対応する収納領域４０に存在する全無線タグ回路素子ＴｏからのタグＩＤの取得が完了したと見なして収納領域４０の棚卸しが完了していると判定し、反対に上記時間が所定の値よりも短い場合には収納領域４０の棚卸しが未完了と判定するようにしたものである。
【０１４２】
図１３は、本変形例においてリーダ端末１００の制御回路１８０によって実行される制御手順を表すフローチャートであり、前述の図８等に対応する図である。図８等と同様の手順には同符号を付し説明を省略する。
【０１４３】
ステップＳ５〜ステップＳ１５は前述の図８と同様である。次のステップ２０Ｃでは、制御回路１８０は、棚卸情報取得部１８２においてサーバ３００のＩＤ・収納領域管理データベース３２０にアクセスし、上記ステップ１５で特定された収納領域４０に関する棚卸し情報を取得する。本変形例では、この棚卸し情報は、特定された収納領域４０に係わる無線タグ回路素子Ｔｏに対するタグＩＤの取得開始後、予め棚卸し作業を完了するのに必要な電波出力時間として当該収納領域４０に対して設定された電波出力設定時間Ｔ３（第３期間、棚卸し完了時間）と、特定された収納領域４０に係わる無線タグ回路素子Ｔｏに対するタグＩＤの取得開始後の経過時間である電波出力経過時間ｔ３である。この電波出力経過時間ｔ３のカウントは、制御回路１８０がその内部（又は外部）に有する図示しないタイマにより実行するようになっている。
【０１４４】
また、上記電波出力設定時間Ｔ３は、各収納領域４０に対しその大きさや収納される書類ファイル５０の数（密度）等に応じてそれぞれ設定されており、ＩＤ・収納領域管理データベース３２０に予め登録されている。例えば、収納領域４０が大きい場合には電波出力設定時間Ｔ３は対応して長い時間に設定され、収納領域４０内の書類ファイル５０の数（密度）が高い場合には電波出力設定時間Ｔ３は対応して長い時間に設定される。なお、棚卸しを行うたびに棚卸しが完了するまでの経過時間（電波出力経過時間ｔ３）を記録しておき、これら過去の実績に基づき（例えば実績の平均値に対して定数倍することにより）電波出力設定時間Ｔ３を設定するようにしてもよい。
【０１４５】
ステップＳ２２〜ステップＳ２４は前述の図８と同様であり、制御回路１８０は、現在の収納領域４０が直前の収納領域４０と一致するか否かを判定し、一致する場合には後述のステップＳ２５Ｂに移る。一方、一致していない場合には、直前の収納領域４０に係わる電波出力経過時間ｔ３のカウントを停止し、当該カウント値をサーバ３００のＩＤ・収納領域管理データベース３２０に登録すると共に、現在の収納領域４０の収納領域情報を直前の収納領域４０として登録する。
【０１４６】
ステップＳ２５Ｃでは、制御回路１８０は、電波出力判定・制御部１８３において、上記ステップ２０Ｃにおいて棚卸情報取得部１８２で取得した棚卸し情報（電波出力経過時間ｔ３、電波出力設定時間Ｔ３）を入力し、当該棚卸し情報に基づき、特定された収納領域４０の棚卸しが完了しているか否かを判定する。この判定は、上記ステップＳ２０Ｃで取得した現在の収納領域４０の電波出力経過時間ｔ３（電波出力経過時間のカウントが開始されている場合にはそのカウント分を加算した経過時間。後述のステップＳ４６Ｃ参照）が、上記ステップＳ２０Ｃで取得した上記電波出力設定時間Ｔ３以上であるか否かを判定することにより行われる。電波出力経過時間ｔ３が電波出力設定時間Ｔ３以上である場合には棚卸しが完了しているとみなし、判定が満たされてステップ３０に移る。
【０１４７】
ステップＳ３０〜ステップＳ３６Ｃは、前述の図８と同様であり、制御回路１８０は、電波出力判定・制御部１８３において、高周波回路１３１に制御信号を出力して装置アンテナ１１０からの電波の出力を停止し、ＬＥＤ１２５に制御信号を出力して消灯させる。また、現在の収納領域４０における電波出力経過時間ｔ３のカウントを停止し、当該カウント値を無線ＬＡＮ通信部１３２、アンテナ２０１、基地局２０２、及び通信回線ＮＷを介してサーバ３００に送信し、ＩＤ・収納領域管理データベース３２０に登録する。そして、後述のステップＳ６０に移る。
【０１４８】
一方、先のステップＳ２５Ｃにおいて、現在の収納領域４０の電波出力経過時間ｔ３が電波出力設定時間Ｔ３より短い場合には棚卸しが完了していないとみなし、判定が満たされずにステップ４０に移る。
【０１４９】
ステップＳ４０〜ステップＳ５５は、前述の図８と同様であり、制御回路１８０は、電波出力判定・制御部１８３において、高周波回路１３１に制御信号を出力して装置アンテナ１１０からの電波の出力を開始（既に電波を出力している場合には継続）し、ＬＥＤ１２５に制御信号を出力して点灯（既に点灯している場合には継続）させる。そして、現在の収納領域４０における電波出力経過時間ｔ３のカウントを開始（既にカウントを実行している場合には継続）する。このカウントは、上記ステップＳ２０ＣでＩＤ・収納領域管理データベース３２０から取得した電波出力経過時間ｔ３に加算して行われる。その後、制御回路１８０は、通信領域Ａｃ内の収納領域４０に収納された書類ファイル５０の無線タグ回路素子ＴｏからタグＩＤを取得したか否かを判定し、タグＩＤを取得した場合には、棚卸情報登録部１８４において、無線タグ回路素子Ｔｏから取得したタグＩＤを、特定された収納領域４０の情報と関連付けてサーバ３００のＩＤ・収納領域管理データベース３２０に登録する。
【０１５０】
ステップＳ６０は、前述の図８と同様であり、制御回路１８０は、操作者が操作部１３０を介して棚卸し作業を終了させる指示操作を行ったか否かを判定し、終了操作が行われている場合にはこのフローを終了する。一方、終了操作が行われていない場合には、ステップＳ５へ戻り同様の手順を繰り返す。
【０１５１】
なお、上記において、ＩＤ取得領域判定部１８１において実行されるステップＳ１０及びステップＳ１５の手順と、棚卸情報取得部１８２において実行されるステップＳ２０Ｃの手順とは、特許請求の範囲各項記載の特定した収納領域に係わる棚卸し情報を取得する棚卸し情報取得手段を構成し、電波出力判定・制御部１８３において実行されるステップＳ２５Ｃは、特定された収納領域における棚卸しが完了したかどうかを判定する完了判定手段を構成する。
【０１５２】
図１４は、本変形例におけるＩＤ・収納領域管理データベース３２０に格納されたデータ（管理テーブル）の内容の一例を表す図である。
【０１５３】
図１４に示すように、ＩＤ・収納領域管理データベース３２０に格納された管理テーブルには、各収納領域４０ごとに、上記電波出力設定時間Ｔ３が予め設定され登録されており、この例では、第１、第２、第３収納領域４０のそれぞれの電波出力設定時間Ｔ３は、２５秒、２０秒、３０秒となっている。また図に示す例では、第１、第２、第３収納領域４０のそれぞれの電波出力経過時間ｔ３が、２５秒、１０秒、０秒の状態となっている。
【０１５４】
このような状態において、リーダ端末１００で各収納領域４０について棚卸しを行おうとした場合、リーダ端末１００は以下のような動作を行う。すなわち、操作者が第１収納領域４０について棚卸しを行おうとする場合、第１収納領域４０における電波出力経過時間ｔ３は２５秒であり、電波出力設定時間Ｔ３以上となっていることから、電波出力判定・制御部１８３は第１収納領域４０の棚卸しは完了していると判定する（図１３中ステップＳ２５Ｃ参照）。その結果、電波出力判定・制御部１８３が高周波回路１３１に制御信号を出力して装置アンテナ１１０からの電波の出力を停止し（図１３中ステップＳ３０参照）、既に棚卸し済みである第１収納領域４０については、リーダ端末１００による再度の棚卸しを行うことが防止される。
【０１５５】
一方、操作者が第２収納領域４０について棚卸しを行おうとする場合、第２収納領域４０における電波出力経過時間ｔ３は１０秒であり、電波出力設定時間Ｔ３より短い時間であることから、電波出力判定・制御部１８３は第２収納領域４０の棚卸しは完了していないと判定する（図１３中ステップＳ２５Ｃ参照）。その結果、電波出力判定・制御部１８３が高周波回路１３１に制御信号を出力して装置アンテナ１１０からの電波の出力を開始し（図１３中ステップＳ４０参照）、まだ棚卸し未完了である第２収納領域４０については、リーダ端末１００による棚卸しを行うことが許容される。
【０１５６】
操作者が第３収納領域４０について棚卸しを行おうとする場合も上記第２収納領域４０の場合の動作と同様となる。
【０１５７】
以上説明した変形例によれば、以下の効果を奏する。すなわち、一般に棚卸しは、全ての書類ファイル５０が、収納棚３０のうちの本来の収納領域４０にそれぞれ存在することの確認作業である。そして、通常は、各書類ファイル５０のほとんどの配置が乱れることなく本来の位置にあるため、前回やそれ以前の棚卸しの実績から各収納領域毎に棚卸しに要する概ねの時間が予め想定できることが多い。そこで本変形例においては、これに対応して、各収納領域４０ごとに、予め棚卸し作業の完了のために必要な時間を電波出力設定時間Ｔ３として設定しておき、リーダ端末１００において、無線タグ回路素子ＴｏからのタグＩＤの取得開始後、その電波出力設定時間Ｔ３を経過したかどうかを監視し、電波出力設定時間Ｔ３が経過した場合には、対応する収納領域４０の棚卸しは（時間的に見て既に完了したと見なし）棚卸し完了と判定する。この結果、無駄な電力消費を確実に防止し、省エネルギを図ることができる。
【０１５８】
（４）収納領域に応じて送信出力を設定する場合
本変形例は、各収納領域４０に対し、その領域広さや書類ファイル５０の配置密度に応じた装置アンテナ１１０からの送信出力を予め設定してデータベースに格納しておき、棚卸し時にそれらの情報に基づいて装置アンテナ１１０からの送信出力を決定するものである。
【０１５９】
図１５は、本変形例においてリーダ端末１００の制御回路１８０によって実行される制御手順を表すフローチャートであり、前述の図８に対応する図である。図８と同様の手順には同符号を付し説明を省略する。
【０１６０】
ステップＳ５〜ステップＳ１５は前述の図８と同様である。次のステップ２０Ｄでは、制御回路１８０は、棚卸情報取得部１８２においてサーバ３００のＩＤ・収納領域管理データベース３２０にアクセスし、上記ステップ１５で特定された収納領域４０に関する棚卸し情報を取得する。本変形例では、この棚卸し情報は、上記ＩＤ無取得経過時間ｔ１、上記ＩＤ無取得設定時間Ｔ１、及び上記特定した収納領域４０に対しタグＩＤの取得を開始するときの送信出力Ｐである。この送信出力Ｐは、各収納領域４０に対し、その領域広さ及び書類ファイル５０の配置密度等に応じてそれぞれ設定されており、ＩＤ・収納領域管理データベース３２０に予め登録されている。
【０１６１】
ステップＳ２１では、制御回路１８０は、電波出力判定・制御部１８３において、リーダ端末１００の装置アンテナ１１０からの電波の送信出力を、上記ステップＳ２０Ｄで取得した送信出力Ｐに設定する。
【０１６２】
その後のステップＳ２２〜ステップＳ６０は、前述の図８と同様である。すなわち、現在の収納領域４０のＩＤ無取得経過時間ｔ１がＩＤ無取得時間Ｔ１以上である場合には棚卸しが完了しているとみなし、装置アンテナ１１０からの電波の出力を停止する。一方、ＩＤ無取得経過時間ｔ１がＩＤ無取得設定時間Ｔ１より短い場合には棚卸しが完了していないとみなし、上記設定した送信出力Ｐにより、装置アンテナ１１０からの電波の出力を開始する。
【０１６３】
なお、上記において、電波出力判定・制御部１８３において実行されるステップＳ２１の手順は、装置アンテナからの送信出力を制御する出力制御手段を構成する。
【０１６４】
図１６は、本変形例におけるＩＤ・収納領域管理データベース３２０に格納されたデータ（管理テーブル）の内容の一例を表す図である。
【０１６５】
図１６に示すように、ＩＤ・収納領域管理データベース３２０に格納された管理テーブルには、各収納領域４０ごとに、ＩＤ無取得経過時間ｔ１及びＩＤ無取得時間Ｔ１と共に、上記送信出力Ｐが予め設定され登録されている。この例では、第１、第２、第３収納領域４０のそれぞれの送信出力Ｐは、２０ｄＢｍ、１７ｄＢｍ、２５ｄＢｍとなっている。これにより、各収納領域４０に対し棚卸しを行う際、ＩＤ無取得経過時間ｔ１がＩＤ無取得設定時間Ｔ１となるまでは、上記設定した送信出力Ｐにより装置アンテナ１１０から電波がそれぞれ出力される。
【０１６６】
以上説明した変形例によれば、以下の効果を奏する。すなわち、一般に収納領域４０の広さが広いほど、装置アンテナ１１０から最遠の無線タグ回路素子Ｔｏまでの距離が大きくなるため、装置アンテナ１１０からの送信出力をより大きくするほうがよい。また、収納領域４０における書類ファイル５０の配置密度が大きいほど、隣接する物品同士の距離が近くなって無線タグ回路素子Ｔｏ同士による通信干渉が生じやすくなるため、装置アンテナ１１０からの送信出力をより大きくするほうがよい。本変形例においては、これらに応じて、収納領域４０の領域広さ情報や管理対象物品の配置密度情報に基づいて設定された、装置アンテナ１１０からの送信出力を予めＩＤ・収納領域管理データベース３２０に格納しておき、その情報に基づいてタグＩＤの取得開始時の装置アンテナ１１０からの送信出力を決定する。この結果、収納領域４０の広さや書類ファイル５０の配置密度に関係なく、最適な送信出力により棚卸しを開始することができる。この結果、リーダ端末１００で確実にタグＩＤを取得してから、装置アンテナ１１０からの電波の出力を停止させることができる。
【０１６７】
なお、本変形例では、タグＩＤの取得を行えなかった時間に基づき棚卸し状態を判定する前述した変形例（１）において、収納領域に応じた送信出力を設定するようにした場合を一例として説明したが、これに限られず、前述の変形例（２）又は変形例（３）の場合に収納領域に応じた送信出力を設定するようにしてもよい。
【０１６８】
（５）その他
以上においては、操作者が棚卸しを行おうとした収納領域４０が既に棚卸し済みであった場合には、装置アンテナ１１０からの電波の出力を停止するようにしたが、これに限られず、棚卸しを行おうとした収納領域４０が既に棚卸し済みであった場合に、送信出力を低下させる（絞る）ようにしてもよい。これによっても、無駄な電力消費を防止し省エネルギ化を図ることができる。
【０１６９】
なお、以上において、図２、図３、図４、図５等の各図中に示す矢印は信号の流れの一例を示すものであり、信号の流れ方向を限定するものではない。
【０１７０】
また、図６、図８、図１０等に示すフローチャートは本発明を上記フローに示す手順に限定するものではなく、発明の趣旨及び技術的思想を逸脱しない範囲内で手順の追加・削除又は順番の変更等をしてもよい。
【０１７１】
また、以上既に述べた以外にも、上記実施形態や各変形例による手法を適宜組み合わせて利用しても良い。
【０１７２】
その他、一々例示はしないが、本発明は、その趣旨を逸脱しない範囲内において、種々の変更が加えられて実施されるものである。
【図面の簡単な説明】
【０１７３】
【図１】本実施形態のファイル管理システムの全体構成を表すシステム構成図である。
【図２】リーダ端末の機能構成を表す機能ブロック図である。
【図３】制御回路の機能構成を表す機能ブロック図である。
【図４】高周波回路の詳細構成を表す機能ブロック図である。
【図５】無線タグラベルに備えられた無線タグ回路素子の機能的構成の一例を表す機能ブロック図である。
【図６】リーダ端末の制御回路によって実行される制御手順を表すフローチャートである。
【図７】ＩＤ・収納領域管理データベースに格納されたデータの内容の一例を表す図である。
【図８】タグＩＤの取得を行えなかった時間に基づき棚卸し状態を判定する変形例において、リーダ端末の制御回路によって実行される制御手順を表すフローチャートである。
【図９】タグＩＤの取得を行えなかった時間に基づき棚卸し状態を判定する変形例において、ＩＤ・収納領域管理データベースに格納されたデータの内容の一例を表す図である。
【図１０】電波出力を停止する前に送信出力を増大させる変形例において、リーダ端末の制御回路によって実行される制御手順を表すフローチャートである。
【図１１】ステップＳ２００のＩＤ無取得時間判定処理の詳細内容を表すフローチャートである。
【図１２】電波出力を停止する前に送信出力を増大させる変形例において、ＩＤ・収納領域管理データベースに格納されたデータの内容の一例を表す図である。
【図１３】電波出力経過時間に基づき棚卸し状態を判定する変形例において、リーダ端末の制御回路によって実行される制御手順を表すフローチャートである。
【図１４】電波出力経過時間に基づき棚卸し状態を判定する変形例において、ＩＤ・収納領域管理データベースに格納されたデータの内容の一例を表す図である。
【図１５】収納領域に応じて送信出力を設定する変形例において、リーダ端末の制御回路によって実行される制御手順を表すフローチャートである。
【図１６】収納領域に応じて送信出力を設定する変形例において、ＩＤ・収納領域管理データベースに格納されたデータの内容の一例を表す図である。
【符号の説明】
【０１７４】
３０              収納棚（収納部材）
４０              収納領域
５０              書類ファイル（管理対象物品）
１００            リーダ端末（無線タグ通信装置）
１１０            装置アンテナ
１２５            ＬＥＤ（報知手段）
１４０            カメラ（撮像手段）
１５０            ＩＣ回路部
１５１            タグアンテナ
３２０            ＩＤ・収納領域管理データベース（データベース）
Ｔｏ              無線タグ回路素子
ＴＳ              ファイル管理システム（物品管理システム）
Ｔ１              ＩＤ無取得時間（第１期間）
Ｔ２              出力ＭＡＸ化後経過時間（第２期間）
【図１】
2010070317.tif 000003
【図２】
2010070317.tif 000004
【図３】
2010070317.tif 000005
【図４】
2010070317.tif 000006
【図５】
2010070317.tif 000007
【図６】
2010070317.tif 000008
【図７】
2010070317.tif 000009
【図８】
2010070317.tif 000010
【図９】
2010070317.tif 000011
【図１０】
2010070317.tif 000012
【図１１】
2010070317.tif 000013
【図１２】
2010070317.tif 000014
【図１３】
2010070317.tif 000015
【図１４】
2010070317.tif 000016
【図１５】
2010070317.tif 000017
【図１６】
2010070317.tif 000018